(57)【要約】【課題】薄型化を可能とするカードコネクタを提供する。【解決手段】金属板から成形される金属製イジェクト部材であって、少なくとも第１の水平上壁、該第１の水平上壁の左右両側に形成される左側壁と右側壁、およびロックピンを有する揺動アーム、を含んでいる本体部分と、少なくとも第２の水平上壁を含んでいるカード押圧部分と、を備え、本体部分は、第１の水平上壁、左側壁および右側壁により形成されるアーム収容空間を有し、カード押圧部分の第２の水平上壁は、第１の水平上壁に対して直交するように第１の水平上壁の前端部分から左右いずれか一方の側に突出形成され、揺動アームは、アーム収容空間内に配置されるように本体部分から折り曲げ形成される。【選択図】図３
2013089552.tif 000002
【特許請求の範囲】
【請求項１】
金属板から成形される金属製イジェクト部材であって、
第１の水平上壁、該第１の水平上壁の左右両側に形成される左側壁と右側壁、およびロックピンを有する揺動アーム、を含んでいる本体部分と、
第２の水平上壁を含んでいるカード押圧部分と、
を備え、
前記本体部分は、第１の水平上壁、左側壁および右側壁により形成されるアーム収容空間を有し、
前記カード押圧部分の前記第２の水平上壁は、前記第１の水平上壁に対して直交するように前記第１の水平上壁の前端部分から左右いずれか一方の側に突出形成され、
前記揺動アームは、前記アーム収容空間内に配置されるように前記本体部分から折り曲げ形成されることを特徴とする金属製イジェクト部材。
【請求項２】
前記揺動アームは、前記第２の水平上壁が突出形成されていない側に設けられている、前記本体部分の左右の側壁のいずれか一方の側壁に連結された状態で前記金属板からＬ字状をなすように切り出され、
前記第２の水平上壁が突出形成されていない側に設けられている、前記本体部分の左右の側壁のうちのいずれか一方の側壁から、前記Ｌ字形の揺動アームが第１の水平上壁に対向するように折り曲げ形成されることを特徴とする請求項１に記載の金属製イジェクト部材。
【請求項３】
前記揺動アームは、前記第２の水平上壁が突出形成されていない側に設けられている、前記本体部分の左右の側壁のうちのいずれか一方の側壁に形成され、左右方向に弾性変形可能な弾性変形壁を介して折り曲げ形成されていることを特徴とする請求項２に記載の金属製イジェクト部材。
【請求項４】
前記第２の水平上壁が突出形成されていない側に設けられている、前記本体部分の左右の側壁のうちのいずれか一方の側壁の後端部には、コイルバネの一端が当接し、保持されるコイルバネ当接壁が前記いずれか一方の側壁の後端部から折り曲げられることで形成されていることを特徴とする請求項３に記載の金属製イジェクト部材。
【請求項５】
前記揺動アームは、前記揺動アームが前記第１の水平上壁に平行に且つ対向するように、折り曲げ形成されることを特徴とする請求項２に記載の金属製イジェクト部材。
【請求項６】
前記揺動アームは、前記本体部分の前記第１の水平上壁から切り起こされることで形成されることを特徴とする請求項１に記載の金属製イジェクト部材。
【請求項７】
少なくとも、カード収容空間を形成するベース部材、該ベース部材に配設される複数のコンタクト、およびプッシュ・プッシュ式イジェクト機構を構成するイジェクト部材、ハートカム機構、前記イジェクト部材を後方に向かって付勢するコイルバネを備えるカードコネクタであって、
前記イジェクト部材は、
金属板から成形される金属製イジェクト部材であって、
少なくとも第１の水平上壁、該第１の水平上壁の左右両側に形成される左側壁と右側壁、および前記ハートカム機構に従って移動するロックピンを有する揺動アーム、を含んでいる本体部分と、
少なくとも第２の水平上壁を含んでいるカード押圧部分と、
を備え、
前記本体部分は、第１の水平上壁、左側壁および右側壁により形成されるアーム収容空間を有し、
前記カード押圧部分の前記第２の水平上壁は、前記第１の水平上壁に対して直交するように前記第１の水平上壁の前端部分から左右いずれか一方の側に突出形成され、
前記揺動アームは、前記アーム収容空間内に配置されるように前記本体部分から折り曲げ形成されていることを特徴とするカードコネクタ。
【請求項８】
前記カード押圧部分の前記第２の水平上壁の突出長さは、前記複数のコンタクトが配置されている領域に重ならないように設定されていることを特徴とする請求項７に記載のカードコネクタ。
【発明の詳細な説明】
【技術分野】
【０００１】
本発明は、イジェクト部材及びそれを備えるカードコネクタに関し、特に、金属製のイジェクト部材およびそれを備えるカードコネクタに関する。
【背景技術】
【０００２】
従来、電子機器などに装着されているカードコネクタにおいて、集積回路が内蔵されているカード（以下、「ＩＣカード」という。）の着脱を容易に、且つ確実に行うことができるようにプッシュ・プッシュ式イジェクト機構が採用されている。さらに、イジェクト機構を構成するイジェクト部材に関し、カードコネクタの小型化を目的として、特許文献１に開示されるような合成樹脂製のイジェクト部材に代わって、特許文献２に開示されるような金属製のイジェクト部材が提案されている。
【０００３】
特許文献２に開示されるイジェクト部材は、ハートカム機構を構成するカム溝内を移動するロックピンを有する揺動アームをイジェクト部材の本体内に収容している。揺動アームは、本体を構成する外壁から加工片を折り曲げることで形成されている。イジェクト部材には、また、イジェクト部材を付勢するコイルバネが、上記揺動部材と前後方向概略一列をなすように、イジェクト部材の本体内に収容されている。
【先行技術文献】
【特許文献】
【０００４】
【特許文献１】特開２０００−２５１０２４号公報
【特許文献２】特許第４６０７２１７号公報
【発明の概要】
【発明が解決しようとする課題】
【０００５】
近年、ＩＣカードも小型化、薄型化が進むとともに、カードコネクタのいっそうの小型化、特に、カードコネクタの薄型化が要望されている。
【０００６】
ところで、特許文献２に開示されるイジェクト部材を構成する揺動アームは、上述したように、本体を構成する外壁の一部を対向する内壁に向かって折り曲げることで形成されている。揺動アームがこのように形成されることで、該揺動アームは、少なくともその板幅の長さにロックピンの長さを加えた長さ分だけ上下方向における高さを有することになる。それにより、揺動アームを収容するイジェクト部材の本体部分は、その分上下方向の高さを大きくしなければならない。したがって、揺動アームをこのように形成することは、カードコネクタの薄型化に支障をきたす要因となり得る。
【０００７】
本発明の目的は、このような問題を解消し、薄型化を可能とする金属性イジェクト部材及びそれを備えるカードコネクタを提供することにある。
【課題を解決するための手段】
【０００８】
上記目的を達成するため、本発明に係る金属製イジェクト部材は、金属板から成形される金属製イジェクト部材であって、第１の水平上壁、該第１の水平上壁の左右両側に形成される左側壁と右側壁、およびロックピンを有する揺動アーム、を含んでいる本体部分と、第２の水平上壁を含んでいるカード押圧部分と、を備え、前記本体部分は、第１の水平上壁、左側壁および右側壁により形成されるアーム収容空間を有し、前記カード押圧部分の前記第２の水平上壁は、前記第１の水平上壁に対して直交するように前記第１の水平上壁の前端部分から左右いずれか一方の側に突出形成され、前記揺動アームは、前記アーム収容空間内に配置されるように前記本体部分から折り曲げ形成されることを特徴とする。
【０００９】
本発明に係るイジェクト部材を構成する揺動アームは、第２の水平上壁が突出形成されていない側に設けられている本体部分の左右の側壁のいずれか一方の側壁に連結された状態で金属板からＬ字状をなすように切り出され、第２の水平上壁が突出形成されていない側に設けられている、本体部分の左右の側壁のうちのいずれか一方の側壁から、Ｌ字形の揺動アームが第１の水平上壁に対向するように折り曲げ形成されることが好ましい。
【００１０】
本発明に係る金属製イジェクト部材を構成する揺動アームは、また、第２の水平上壁が突出形成されていない側に設けられている、本体部分の左右の側壁のうちのいずれか一方の側壁に形成され、左右方向に弾性変形可能な弾性変形壁を介して折り曲げ形成されていることが好ましい。
【００１１】
本発明に係る金属製イジェクト部材は、また、第２の水平上壁が突出形成されていない側に設けられている、本体部分の左右の側壁のうちのいずれか一方の側壁の後端部に、コイルバネの一端が当接し、保持されるコイルバネ当接壁がいずれか一方の側壁の後端部から折り曲げられることで形成されていることが好ましい。
【００１２】
本発明に係る金属製イジェクト部材を構成する揺動アームは、該揺動アームが第１の水平上壁に平行に且つ対向するように、折り曲げ形成されることが好ましい。
【００１３】
本発明に係る金属製イジェクト部材を構成する揺動アームは、本体部分の第１の水平上壁から切り起こされることで形成されていてもよい。
【００１４】
また、本発明に係るカードコネクタは、カード収容空間を形成するベース部材、該ベース部材に配設される複数のコンタクト、およびプッシュ・プッシュ式イジェクト機構を構成する金属製イジェクト部材であって、上述される金属製イジェクト部材のいずれかである金属製イジェクト部材、ハートカム機構、イジェクト部材を後方に向かって付勢するコイルバネを備える。
【００１５】
さらに、本発明に係るカードコネクタは、カード押圧部分の第２の水平上壁の突出長さが、複数のコンタクトが配置されている領域に重ならないように設定されていることが好ましい。
【発明の効果】
【００１６】
本発明は、上述のように構成することで、イジェクト部材の薄型化を図ることが可能となり、ひいては、カードコネクタのよりいっそうの薄型化を可能とする。
【図面の簡単な説明】
【００１７】
【図１】本発明の１つの実施形態に係るカードコネクタであって、カバー部材が取り除かれた状態にあるカードコネクタの斜視図である。
【図２】図１のカードコネクタにおいて、さらにイジェクト部材が取り除かれた状態にあるカードコネクタの上面図である。
【図３】本発明の一実施形態に係るイジェクト部材の斜視図であって、（ａ）は、斜め上方から見た斜視図であり、（ｂ）は、斜め下方から見た斜視図である。
【図４】本発明の別の実施形態に係るイジェクト部材の斜視図であって、（ａ）は、斜め上方から見た斜視図であり、（ｂ）は、斜め下方から見た斜視図である。
【図５】適正なＩＣカードが挿入された状態にあるカードコネクタであって、カバーが取り除かれた状態にあるカードコネクタの上面図である。
【図６】不適正なＩＣカードが挿入された状態にあるカードコネクタであって、図５と同じくカバーが取り除かれた状態にあるカードコネクタの上面図である。
【発明を実施するための形態】
【００１８】
以下、本発明に係るカードコネクタの実施形態について、図１〜５を用いて詳細に説明する。本発明に係るカードコネクタの実施形態は、これに限られるものではないが、２点接触形のコンタクトを有するカードコネクタの形態をなしている。
【００１９】
なお、本明細書の説明において、用語「左」及び「右」は、図１に示される座標において、それぞれ、＋ｘ方向及び−ｘ方向を指し、用語「前」及び「後」は、それぞれ、図１に示される＋ｙ方向及び−ｙ方向を指し、用語「上」及び「下」は、それぞれ、図１に示される＋ｚ方向及び−ｚ方向を指すものとする。
【００２０】
本実施形態に係るカードコネクタ１０は、概略、カバー部材（不図示）、ベース部材２０、イジェクト部材３０および複数のコンタクト５０を備えている。
【００２１】
カバー部材は、一枚の金属薄板からプレス加工により形成され、後述するベース部材２０と上下に重ね合わせて組み立てることにより、ＩＣカード８０が収容されるカード収容空間を形成する。また、本明細書においては、カードコネクタ１０に装着されるＩＣカード８０は、幅１２ｍｍ、奥行２０ｍｍ、厚さ０．７６ｍｍの大きさを有するマイクロシム（登録商標）カードを対象として説明されるが、これに限定されるものではない。なお、カバー部材は、省略されてもよい。
【００２２】
ベース部材２０は、絶縁性の合成樹脂から形成され、底壁２１、左側壁２２、右側壁２３、前壁２４、および後壁２５を備え、概略筐状のカード収容空間を形成している。
【００２３】
ベース部材２０を構成する前壁２４には、ＩＣカード８０が正しく装着されたときにこれを検知する常閉型の検出スイッチ６０が設けられている。また、本実施形態では、ベース部材２０を構成する後壁２５が、その左端部と左側壁２２後端部との間にＩＣカード８０が挿入されるカード挿入口１５を形成するように設けられている。該後壁２５の前面は、階段状に形成されており、図２に示されるように、右側壁２３の左側に隣接する第２の前面２５ｂおよび該第２の前面２５ｂの左側に隣接する第１の前面２５ａを備えている。後方に位置する第１の前面２５ａは、後述するイジェクト部材３０を案内する案内壁２７に対応して形成されている。また、前方に位置する第２の前面２５ｂは、後述するコイルバネ４５のバネ収容空間２８に対応して形成されている。
【００２４】
ベース部材２０を構成する底壁２１の左側には、挿入されるＩＣカード８０の外部接点に対応して複数のコンタクト５０が配置される。本実施形態では、図１および２に示されるように、複数のコンタクト５０それぞれは、２点接触形コンタクトである。コンタクト５０それぞれは、ＩＣカード８０の外部接点に接触する２つの接点部５１ａ、５１ｂ、弾性変形部５２ａ、５２ｂ、固定部（不図示）および装着される電子機器の外部接点に接続される端子部（不図示）を備えている。コンタクト５０は、固定部が、底壁２１内にインサート成形により埋め込まれることで、底壁２１に保持されている。底壁２１には、また、複数のコンタクト５０それぞれの２つの接点部５１ａ、５１ｂおよび２つの弾性変形部５２ａ、５２ｂに対応して、複数の概略矩形状の窓部２１ａが形成されている。
【００２５】
ベース部材２０を構成する底壁２１の右側には、前壁２４の後面２４ａと後壁２５の第１の前面２５ａとの間であって、右側壁２３に平行に案内壁２７が底壁２１上面より突出形成される。また、該案内壁２７の左右に案内溝２６ａ、２６ｂが形成される。左案内溝２６ａ、右案内溝２６ｂおよび案内壁２７は、後述するように、イジェクト部材３０の前後方向への移動を案内する。左案内溝２６ａの後方には、該左案内溝２６ａを塞ぐようにカード案内壁２６ｃが設けられている。該カード案内壁２６ｃは、後述するイジェクト部材３０の左側壁３３の後端が当接しないように十分後方であって、フィーリングロック部材７０の前方に形成される。カード案内壁２６ｃは、カード挿入口１５から挿入されるＩＣカード８０の先端部の右側がイジェクト部材３０の左側壁に当たらないように案内するために設けられている。なお、左案内溝２６ａと左側壁２２との間の距離、すなわち、カード挿入口１５の幅Ｌ１は、挿入されるＩＣカード８０の幅に等しいかそれより若干大きく設定される（図５参照）。
【００２６】
案内壁２７上面であって、前後方向所望の位置（本実施形態では、概略、後壁２５の第１の前面２５ａからイジェクト部材３０が前方に移動し得る距離分前方の位置）には、プッシュ・プッシュ型イジェクト機構を構成するハートカム機構４０が設けられている。ハートカム機構４０は、ハートカム４１および該ハートカム４１の周囲およびその前後に延在するカム溝４２で形成されている。該カム溝４２は、後述するイジェクト部材３０を構成する揺動アーム４３に設けられているロックピン４４が段階的に移動し得るように形成されている。カム溝４２内をロックピン４４が移動することにより、イジェクト部材３０の移動が規制され、それにより、ＩＣカード８０のカードコネクタ１０からの着脱を助ける。また、案内壁２７の後壁２５寄りには、フィーリングロック部材７０および該フィーリングロック部材７０が変位する変位空間２９が形成されている。本実施形態では、フィーリングロック部材７０の一部が案内壁２７にインサート成形により埋め込まれており、変位空間２９は、また、底壁２１を貫通するように形成されている。
【００２７】
案内壁２７の右側案内溝１６ｂと右側壁２３との間には、イジェクト部材３０を後方に向かって付勢するコイルバネ４５が配置される、バネ収容空間２８が形成されている。バネ収容空間２８は、前壁２４の後面２４ａと後壁２５の第２の前面２５ｂとの間に形成される。バネ収容空間２８の底面は、これに限定されるものではないが、コイルバネの外形に合わせて垂直断面円弧状に形成されていることが好ましい。
【００２８】
次に、本発明の一実施形態に係るイジェクト部材３０について、図３を用いて詳細に説明する。
【００２９】
図３には、本発明の第１の実施形態に係るイジェクト部材３０が示される。図３に示されるように、本実施形態におけるイジェクト部材３０は、一枚の薄板状の金属板からプレス加工により形成され、本体部分３１およびカード押圧部分３６を含んでいる。
【００３０】
イジェクト部材３０を構成する本体部分３１は、上述するベース部材２０に形成される案内壁２７に沿って前後方向に移動し、ＩＣカード８０の装着または取り出しを助ける。
【００３１】
本体部分３１は、第１の水平上壁３２、左側壁３３、右側壁３４、コイルバネ当接壁３５および揺動アーム４３を備え、カード押圧部分３６は、第２の水平上壁３７および垂直壁３８を備えている。本実施形態では、本体部分３１を構成する第１の水平上壁３２、左側壁３３および右側壁３４により、少なくとも前後方向および下方が開放されている、揺動アーム４３を収容する垂直断面略矩形状のアーム収容空間３１ａが形成される。
【００３２】
本体部分３１を構成する第１の水平上壁３２は、前後方向水平に延在し、後述する左右方向水平に延在するカード押圧部分３６の第２の水平上壁３７と互いに対して概略直角をなすように形成されている。本実施形態では、第１の水平上壁３２と第２の水平上壁３７とは、水平且つ平坦で面一な上面および下面を形成するように、連続して形成されているが、これに限られるものではない。例えば、本体部分３１を構成する第１の水平上壁３２とカード押圧部分３６の第２の水平上壁３７は、それらの間に上下方向に段差を有して連続していてもよい。
【００３３】
また、本体部分３１を構成する左側壁３３は、前後方向に延在し、本体部分３１の第１の水平上壁３２に対して直角をなして下方に向かって折り曲げられることで形成される。該左側壁３３は、イジェクト部材３０がカードコネクタ１０に組み込まれたとき、その下方部分がベース部材２０の案内壁２７の左側に形成されている左案内溝２６ａ内に収容され、該案内溝２６ａ内を摺動し、イジェクト部材３０の移動を案内する。本実施形態では、左側壁３３は、カード押圧部分３６の垂直壁３８と連続して形成されているが、連続していなくてもよい。左側壁３３と垂直壁３８は、少なくとも互いに対して垂直で且つ平坦な垂直壁を形成していればよい。
【００３４】
本体部分３１を構成する右側壁３４は、上記左側壁３３と平行に前後方向に延在し、本体部分３１の第１の水平上壁３２に対して直角をなして下方に向かって折り曲げられることで形成される。該右側壁３４は、イジェクト部材３０がカードコネクタ１０に組み込まれたとき、その下方部分が案内壁２７の右側に形成されている右案内溝２６ｂ内に収容され、該案内溝２６ｂ内を摺動し、左側壁３３とともにイジェクト部材３０の移動を案内する。
【００３５】
本実施形態では、右側壁３４の後端部には、イジェクト部材３０を後方に向かって付勢するコイルバネ４５の一端部が当接する、コイルバネ当接壁３５が形成されている。コイルバネ当接壁３５は、右側壁３４に対して直角をなして右方に向かって折り曲げられることで形成される。コイルバネ当接壁３５は、図１に示されるように、ＩＣカード８０がカー素コネクタ１０のカード収容空間内に挿入されていないとき、コイルバネ４５の付勢力によりベース部材２０の後壁２５の第２の前面２５ｂに押し付けられる。
【００３６】
本実施形態では、また、右側壁３４の前方部分には、弾性変形壁３９を介してカム溝４２内を移動するロックピン４４を有する揺動アーム４３が設けられている。弾性変形壁３９は、概略逆Ｕ字形をなしており、水平部分３９ａ及び該水平部分３９ａの前後に配置される前脚部分３９ｂおよび後脚部分３９ｃを備えている。弾性変形壁３９は、前脚部分３９ｂおよび後脚部分３９それぞれの下端部で前連結部３４ａおよび後連結部３４ｂを介してそれぞれ右側壁３４に連結されるように、右側壁３４および第１の水平上壁３２の一部を切り欠くことで形成される。言い換えれば、弾性変形壁３９は、両持ち梁状に右側壁３４に支持されるように形成される。本実施形態では、弾性変形壁３９は、また、右側壁３４および水平上記３２との間に切欠空間３４ｃが存在するように切り欠かれている。弾性変形壁３９の水平部分３９ａは、本体部分３１の第１の水平上壁３２に対して平行となるように、また、前脚部分３９ｂおよび後脚部分３９ｃは、水平部分３９ａに対して直角をなすように形成される。弾性変形壁３９は、このように形成されることで、前連結部３４ａ及び後連結３４ｂを中心とする回動が可能となり、それにより、揺動アーム４３の後端に設けられているロックピン４４の左右方向の変位をより円滑に行わせることが可能となる。
【００３７】
弾性変形壁３９の水平部分３９ａには、さらに、連結部４３ａおよび該連結部４３ａに直交する揺動部４３ｂを備える略Ｌ字形の揺動アーム４３が連結されている。具体的には、金属板の状態において、弾性変形壁３９の水平部分３９ａから下方に延びる連結部４３ａおよび連結部４３ａから該連結部４３ａに対してほぼ直角に延びる揺動部４３ｂを備える揺動アーム４３が、プレス加工により切り出される。このような弾性変形壁３９の水平部分３９ａに連結した状態にある揺動アーム４３を、水平部分３９ａと連結部４３ａとの連結（接続）部分において左側壁３３に向かって弾性変形壁３９に対して直角をなすように折り曲げる。それにより、揺動アーム４３は、本体部分３１のアーム収容空間３１ａ内に収容されるとともに、第１の水平上壁３２の下方であって、該第１の水平上壁３２に対して略平行に且つ対向するように配置される。
【００３８】
揺動アーム４３がこのように形成されることで、揺動アーム４３は、その板厚分に薄く形成することができる。したがって、本実施形態に係るイジェクト部材３０の高さは、少なくとも揺動アーム４３の板厚にロックピン４４の長さを加えた長さ分を有すればよいことになり、従来のイジェクト部材に比べてその高さを小さくすることができる。結果として、本実施形態では、カードコネクタ１０のさらなる薄型化を実現し得る。また、揺動アーム４３が弾性変形壁３９を介して右側壁３４に連結されることで、該揺動アーム４３の左右方向の変形を助けることになり、それにより、上述したように、後端部に設けられるロックピン４４の左右方向の片をより円滑に行わせることが可能となる。
【００３９】
カム溝４２内を移動し得るカムフォロワーとしてのロックピン４４は、揺動アーム４３の後端部において、揺動アーム４３に対して直角をなし、下方に向かって折り曲げられることで形成される。ロックピン４４の長さは、カム溝４２の深さより若干大きく設定される。また、ロックピン４４は、その柱状部分を円筒状に形成し、さらにその下端部を半球状に形成することが好ましい。
【００４０】
次に、イジェクト部材３０を構成するカード押圧部分３６は、ＩＣカード８０の先端が該カード押圧部分３６に当接することでＩＣカード８０の装着および取り出しを助ける。
【００４１】
カード押圧部分３６を構成する第２の水平上壁３７は、本体部分３１の第１の水平上壁３２に対して直角をなして延在するように、該第１の水平上壁３２の前端部分から左方向（組み立てられたとき、カード収容空間）に向かって突出形成される。本実施形態では、また、上述したように、第２の水平上壁３７は、本体部分３１を構成する第１の水平上壁３２と面一に形成されている。カード押圧部分３６の第２の水平上壁３７は、挿入されるＩＣカード８０の先端部に当接し、ＩＣカード８０の挿入に伴って、イジェクト部材３０を前方に移動させるために部材である。
【００４２】
カード押圧部分３６の第２の水平上壁３７の左方向への突出長さＬ３は、挿入されるＩＣカード８０の先端部の一部に当接するがベース部材２０の底壁２１に支持されている複数のコンタクト５０には接触しないように設定される。具体的には、突出長さＬ３は、図２に示されるように、複数のコンタクト５０のうちの最右端に配置されるコンタクト５０に接触しないように、言い換えれば、コンタクト５０が配置されている領域に重ならないように設定される。本実施形態においては、突出長さＬ３は、複数のコンタクト５０に対応して底壁２１に形成されている複数の窓部２１ａのうちの最右端に配置される窓部２１ａと左案内溝２６ａとの間の距離Ｌ２に略等しい長さに設定されている。カード押圧部分３６の第２の水平上壁３７の突出長さＬ３をこのように設定することで、イジェクト部材３０の高さを低くすることが可能となり、金属製のカード押圧部分３６がコンタクト５０に接触し、これを短絡させることがない。
【００４３】
カード押圧部分３６を構成する垂直壁３８は、上記第２の水平上壁３７の機能を補助する部材であり、左右方向に延在し、カード押圧部分３６の第２の水平上壁３７に対して直角をなして下方に向かって折り曲げられることで形成される。垂直壁３８は、本体部分３１の第１の水平上壁３２、左側壁３３および右側壁３４に対しても直角をなしている。このように垂直壁３８を設けることで、ＩＣカード８０の先端部との当接面積を広げ、イジェクト部材３０の移動をより確実に行わせることが可能となる。本実施形態では、垂直壁３８は、また、これに限定されるものではないが、上述したように本体部分３１を構成する左側壁３３と連続的に形成されている。なお、ＩＣカード８０との当接が確実に得られるのであれば、例えば、上述したように第２の水平上壁３７を第１の水平上壁３２より一段低く形成することにより、垂直壁３８は省略することが可能である。
【００４４】
次に、本発明の別の実施形態に係るイジェクト部材１３０について図４を用いて説明する。
【００４５】
図４に示されるように、本実施形態に係るイジェクト部材１３０は、上記実施形態に係るイジェクト部材３０と比べて、揺動アーム１４３の形成位置が異なるだけであり、ここでは、該揺動アーム１４３の構造についてのみ説明する。なお、その他の構造については、上記実施形態のイジェクト部材３０に関する説明において１００を加えて読むことで理解することができる。
【００４６】
本実施形態における揺動アーム１４３は、以下のようにして形成される。先ず、細長い切片が、本体部分１３１を構成する第１の水平上壁１３２の前方部分において連結されるように、第１の水平上壁１３２から切り出される。該切片が第１の水平上壁１３２との連結部分においてアーム収容空間１３１ａ内に向って（下方に向かって）折り曲げることにより揺動アーム１４３が形成される。言い換えれば、揺動アーム１４３は、図４に示されるように、第１の水平上壁１３２の前方部分から下方に向かって単に傾斜状に切り起こされることで形成されている。本実施形態においても、揺動アーム１４３の後端部において、ロックピン１４４が下方に向かって突出形成される。ロックピン１４４は、第１の水平上壁１３２に対して直角をなすように形成されることが好ましい。揺動アーム１４３をこのように形成しても、揺動アーム１４３の長さが十分に取ることができれば、該揺動アームの左右方向への変位が可能となる。本実施形態では、揺動アーム１４３は、第１の水平上壁１３２から切り起こすだけで形成されるので、製造が容易である。
【００４７】
以上、本発明に係るカードコネクタ１０について説明したが、最後に、本発明に係るカードコネクタ１０へのＩＣカード８０の装着と取り外しの動作について図５を用いて簡単に説明する。また、装着が予定されているＩＣカードより小さい、すなわち、適正でないＩＣカード９０が挿入されたときの動作について、図６を用いて簡単に説明する。
【００４８】
図５は、装着が予定されている、すなわち、正しいＩＣカード８０が図３に示されるイジェクト部材を備えるカードコネクタ１０に挿入された状態を示している。
【００４９】
ＩＣカード８０が挿入されていないとき、カードコネクタ１０は、図１に示される状態にある。この状態から、ＩＣカード８０がカード挿入口１５からカード収容空間内に挿入され、前方に向かって押し込まれていくと、ＩＣカード８０の先端がイジェクト部材３０のカード押圧部分３６の垂直壁３８に当接する。ＩＣカード８０の先端が垂直壁に当接後、イジェクト部材３０を後方に向かって付勢するコイルバネ４５の付勢力（弾性力）に抗してＩＣカード８０をさらに前壁２４に当接するまで押し込む。このとき、揺動アーム４３のロックピン４４がハートカム４１の係合部に係合するとともに、検出スイッチ６０を作動させ、フィーリングロック部材７０がＩＣカード８０に形成された切欠部８１に係合する。それにより、ＩＣカード８０は後方に若干戻された状態でカードコネクタ１０のカード収容空間内に保持され、ＩＣカード８０の装着が完了する。
【００５０】
次に、ＩＣカード８０をカードコネクタ１０から取り出すときは、ＩＣカード８０を再度押し込み、ロックピン４４とハートカム４１との係合を外すことにより、コイルバネ４５の付勢力によりＩＣカード８０が後方に押し出される。イジェクト部材３０が個癖２５に当接し、停止することで、ＩＣカード８０の後端部を摘み、ＩＣカード８０をカード収容空間から外に（後方に）引き出すことでＩＣカードの取出しが完了する。  
図６に示されるように、例えば、装着が予定されているＩＣカード８０より寸法の小さいカード９０が挿入されたときも、コンタクト５０の近傍にまで延在しているカード押圧部分３６の垂直壁３８が寸法の小さいＩＣカード９０の先端に当接する。それにより、コイルバネ４５により後方に向かって付勢されている垂直壁３８が、ＩＣカード９０をカード収容空間から外に押し出す。したがって、寸法の小さいＩＣカード９０が誤って装着されることもないし、該ＩＣカード９０がカード収容空間内に入り込んで取れなくなってしまうこともない。
【００５１】
なお、本実施形態では、イジェクト部材３０および１３０は、カードコネクタの右側壁２３に沿って前後方向に移動するように構成されているが、ＩＣカード８０の態様によっては、左側壁２２に沿って移動するように構成されてもよい。その場合、カードコネクタ１０を構成する、例えば、ベース部材２０、イジェクト部材３０、検出スイッチ６０、フィーリングロック部材７０等の構成部品、は、上記本実施形態と左右逆に形成され、または、配置され得る。したがって、例えば、ベース部材２０において、複数のコンタクト５０は、ベース部材２０の右側に配置され、案内壁２７は、ベース部材の左側であって、左側壁２２に沿って形成される。また、イジェクト部材３０のカード押圧部分３６を構成する第２の水平上壁３７は、第１の水平上壁３２の右方向に突出形成され得る。
【符号の説明】
【００５２】
１０              カードコネクタ
２０              ベース部材
３０              イジェクト部材
３１、１３１      本体部分
３１ａ、１３１ａ  アーム収容空間
３２、１３２      第１の水平上壁
３３、１３３      左側壁
３４、１３４      右側壁
３５、１３５      コイルバネ当接壁
３６、１３６      カード押圧部分
３７、１３７      第２の水平上壁
３９              弾性変形壁
４０              ハートカム機構
４３、１４３      揺動アーム
４４、１４４      ロックピン
４５              コイルバネ
５０              コンタクト
【図１】
2013089552.tif 000003
【図２】
2013089552.tif 000004
【図３】
2013089552.tif 000005
【図４】
2013089552.tif 000006
【図５】
2013089552.tif 000007
【図６】
2013089552.tif 000008